(57)【特許請求の範囲】
【請求項１】
広告主の広告データを登録して表示するための広告サービスを提供するためにデータベースから広告データを抽出するデータ抽出部と、
前記抽出された広告データのサービス状態の転換に対する転換価値を決定する転換価値決定部と、
前記抽出された広告データと前記転換価値を互いに関連づけて格納する格納部と、
前記転換価値を用いてサービス状態の転換のための提案情報を送信する提案情報送信部と、
を備え、
前記広告データは、前記広告主の広告に対する地域名または業種名のうち少なくとも１つを含み、前記転換価値決定部は、前記地域名または前記業種名のうち少なくとも１つによって決定された複数の加重値のうち少なくとも１つの加重値、および前記少なくとも１つの加重値を変数とする少なくとも１つの関数に基づいて前記転換価値を算出し、
前記提案情報送信部は、前記決定された転換価値を用いて無料で登録した広告主のうち有料に転換する広告主を選別し、前記選別された広告主に提案情報を送信することを特徴とする価値決定システム。
【請求項２】
前記複数の加重値は、前記地域名による地域別営業加重値、前記業種名による業種別営業加重値、前記地域名と前記業種名それぞれによる現在の販売加重値、および前記地域名と前記業種名それぞれによる累積販売加重値のうち少なくとも１つを含むことを特徴とする請求項１に記載の価値決定システム。
【請求項３】
前記複数の加重値のうち少なくとも１つの加重値は、地域別業者情報の登録および表示サービスを提供する広告登録システムによって決定されることを特徴とする請求項１に記載の価値決定システム。
【請求項４】
前記複数の加重値のうち少なくとも１つの加重値は、前記地域名または前記業種名を含む検索クエリ別の人気度を含み、
前記検索クエリ別の人気度は、前記検索クエリに応じて検索結果を提供する検索システムによって決定されることを特徴とする請求項１に記載の価値決定システム。
【請求項５】
前記広告データを前記転換価値の大きさに応じて整列する整列部をさらに備えることを特徴とする請求項１に記載の価値決定システム。
【請求項６】
前記格納部から前記広告データのサービス状態の転換による転換価値を確認するデータ確認部をさらに備えることを特徴とする請求項１に記載の価値決定システム。
【請求項７】
前記提案情報送信部は、前記確認された広告データまたは前記登録した広告主の広告主情報からＥメールアドレスまたは電話番号を抽出してＥメールまたはＳＭＳによって前記提案情報を送信することを特徴とする請求項６に記載の価値決定システム。
【請求項８】
前記提案情報は、無料登録システムに送信されて前記広告主が無料登録ページにログインする場合、前記無料登録ページによって表示されることを特徴とする請求項６に記載の価値決定システム。
【請求項９】
コンピュータによって広告データの転換価値を決定する方法において、
前記コンピュータが実行するステップは、
広告データを登録し、表示するための広告サービスを提供するためにデータベースから広告データを抽出するステップと、
前記抽出された広告データのサービス状態の転換に対する転換価値を決定するステップと、
前記抽出された広告データおよび前記転換価値を関連づけて格納するステップと、
前記決定された転換価値を用いてサービス状態の転換のための提案情報を送信するステップと、
を含み、
前記広告データは、地域名または業種名のうち少なくとも１つを含み、前記転換価値を決定するステップは、前記地域名または前記業種名のうち少なくとも１つによって決定された複数の加重値のうち少なくとも１つの加重値、および前記少なくとも１つの加重値を変数にする少なくとも１つの関数に基づいて前記転換価値を算出するステップを含み、
前記提案情報を送信するステップは、前記決定された転換価値を用いて無料で登録した広告主のうち有料に転換する広告主を選別し、前記選別された広告主に提案情報を送信することを特徴とする価値決定方法。
【請求項１０】
前記複数の加重値は、前記地域名による地域別営業加重値、前記業種名による業種別営業加重値、前記地域名と前記業種名それぞれによる現在の販売加重値、および前記地域名と前記業種名それぞれによる累積販売加重値のうち少なくとも１つを含むことを特徴とする請求項９に記載の価値決定方法。
【請求項１１】
前記複数の加重値のうち少なくとも１つの加重値は、有料で地域別業者情報の登録および表示サービスを提供する広告登録システムによって決定されることを特徴とする請求項９に記載の価値決定方法。
【請求項１２】
前記複数の加重値のうち少なくとも１つの加重値は、前記地域名または前記業種名を含む検索クエリ別の人気度を含み、
前記検索クエリ別の人気度は、前記検索クエリに応じて検索結果を提供する検索システムによって決定されることを特徴とする請求項９に記載の価値決定方法。
【請求項１３】
前記広告データを前記転換価値の大きさに応じて整列するステップをさらに含むことを特徴とする請求項９に記載の価値決定方法。
【請求項１４】
前記広告データのサービス状態の転換による転換価値を確認するステップをさらに含むことを特徴とする請求項９に記載の価値決定方法。
【請求項１５】
請求項９乃至請求項１４のいずれか１項の方法をコンピュータに実行させるためのプログラムを記録したコンピュータで読み出し可能な記録媒体。
【発明の詳細な説明】
【技術分野】
【０００１】
本発明に係る実施形態は、広告データのサービス状態の転換による転換価値を決定するシステムおよび方法に関する。
【背景技術】
【０００２】
業者の地域別の情報の登録を受けて表示させる地域登録サービスが存在する。例えば、江南駅の周辺に存在する業者に関する情報の登録を受け、「江南駅」を含むクエリが入力される場合に登録された情報を広告主に表示させることによって、当該業者を効率的に広告することができる。このようなサービスは有料あるいは無料で提供されるが、ここで、無料の地域登録サービスに登録された広告データを抽出して地域広告商品へのクロスセリング（ｃｒｏｓｓ  ｓｅｌｌｉｎｇ）に活用してもよい。または有料で提供されるサービスであっても、より優れた品質を提供するさらに高い金額のプレミアムサービスを提供してもよい。
【０００３】
すなわち、無料で登録した広告主を有料サービスに転換することのできる動機、または有料で登録した広告主を少し高めの金額のプレミアムサービスに転換することのできる動機を誘発させることのできる技術が求められる。
【発明の概要】
【発明が解決しようとする課題】
【０００４】
本発明の一実施形態は、広告データのサービス状態の転換による転換価値を決定し、転換価値によってサービス状態の転換に対する提案情報を広告主に送信することにより、広告主の広告価値を向上させることのできる価値決定システムおよび方法を提供することにある。
【０００５】
本発明の一実施形態は、広告データのサービス状態の転換による転換価値を広告主に提供し、サービス状態の転換を様々な方式によって誘導することで、サービス状態の転換による、広告登録システムの立場における収益性を向上させることにある。
【０００６】
本発明の一実施形態は、無料で登録した広告主に有料に転換する時の転換価値、または低い金額で登録した広告主にさらに高い金額に登録する時の転換価値を提供して、広告主がサービス状態変更による収益性を確認することのできる客観的な資料を提供することにより、サービス転換の可能性を向上させることにある。
【０００７】
また、本発明の一実施形態は、既に広告主によって費用が支払われたデータ（広告）の表示属性を変化させるために追加的な費用を支払うように提案される対象データを選別する過程で利用される。
【課題を解決するための手段】
【０００８】
本発明の一実施形態に係る価値決定システムは、広告主の広告データを登録して表示するための広告サービスを提供するためにデータベースから広告データを抽出するデータ抽出部と、前記抽出された広告データのサービス状態の転換に対する転換価値を決定する転換価値決定部と、前記抽出された広告データと前記転換価値を互いに関連づけて格納する格納部とを備えてもよい。
【０００９】
本発明の一実施形態に係る価値決定システムは、前記広告データを前記転換価値の大きさに応じて整列する整列部をさらに備えてもよい。
【００１０】
本発明の一実施形態に係る価値決定システムは、前記格納部から前記広告データのサービス状態の転換による転換価値を確認するデータ確認部と、前記転換価値を用いてサービス状態の転換のための提案情報を送信する提案情報送信部とをさらに備えてもよい。
【００１１】
本発明の一実施形態に係る価値決定方法は、広告データを登録し、表示するための広告サービスを提供するためにデータベースから広告データを抽出するステップと、前記抽出された広告データのサービス状態の転換に対する転換価値を決定するステップと、前記抽出された広告データおよび前記転換価値を関連づけて格納するステップとを含んでもよい。
【００１２】
本発明の一実施形態に係る価値決定方法は、前記広告データを前記転換価値の大きさに応じて整列するステップをさらに含んでもよい。
【００１３】
本発明の一実施形態に係る価値決定方法は、前記広告データのサービス状態の転換による転換価値を確認するステップと、前記確認された転換価値を用いてサービス状態の転換のための提案情報を送信するステップとをさらに含んでもよい。
【発明の効果】
【００１４】
本発明の一実施形態によると、広告データのサービス状態の転換による転換価値を決定し、転換価値を用いてサービス状態の転換についての提案情報を広告主に送信することにより、広告主の広告価値を向上させることができる。
【００１５】
本発明の一実施形態によると、広告データのサービス状態の転換による転換価値を広告主に提供し、サービス状態の転換を様々な方式によって誘導することで、サービス状態の転換による、広告登録システムの立場での収益性を向上させることができる。
【００１６】
本発明の一実施形態は、無料で登録した広告主が有料に転換する時の転換価値、または低い金額で登録した広告主がさらに高い金額に登録する時の転換価値を提供して、広告主がサービス状態変更による収益性を確認することのできる客観的な資料を提供することで、サービス転換の可能性を向上させることができる。
【図面の簡単な説明】
【００１７】
【図１】本発明の一実施形態に係る価値決定システムの概括的な構成を示す一例である。
【図２】本発明の一実施形態に係る価値決定システムの内部構成を説明するためのブロック図である。
【図３】本発明の一実施形態に係る価値決定システムによって決定された転換価値に応じてデータを整列する一例である。
【図４】本発明の一実施形態に係る価値決定方法を示すフローチャートである。
【図５】本発明の一実施形態に係る無料で登録した広告主、有料で登録した広告主、およびプレミアムサービスで登録した広告主の広告データが検索結果に表示される一例を示す図である。
【図６】本発明の一実施形態に係る広告主の広告データが検索結果に表示される他の一例を示す図である。
【発明を実施するための形態】
【００１８】
以下、添付する図面を参照しながら本発明に係る様々な実施形態を詳説する。
【００１９】
図１は本発明の一実施形態に係る価値決定システムの概括的な構成を示す一例である。本実施形態に係る価値決定システム１００は、図１に示すように、無料登録システム１１０、無料登録システム１２０、検索システム１３０に関連するか、または無料登録システム１１０、有料登録システム１２０、検索システム１３０のいずれか１つのシステムに含まれて動作してもよい。
【００２０】
ここで、無料登録システム１１０は、無料登録ページ１１１によって無料登録サービスを利用する広告主から広告データを登録して表示してもよく、有料登録システム１２０は、有料登録ページ１２１によって有料登録サービス広告主から広告データを登録して表示してもよい。また、検索システム１３０は検索サービスの広告主からクエリが入力され、クエリに当該する検索結果を検索サービスの広告主に提供してもよい。ここで、無料登録システム１１０および有料登録システム１２０は、入力されたクエリに当該する広告データが登録されている場合、検索システム１３０によって当該の広告データが表示されるようにしてもよい。例えば、無料登録システム１１０および有料登録システム１２０が地域別に存在する業者に対する広告データが登録されるシステムであり、クエリに「ノンヒョン駅」が含まれ、「ノンヒョン駅」の周辺の業者に関連する広告データが無料登録システム１１０や有料登録システム１２０に登録されている場合、当該の広告データを検索システム１３０に送信することによって、検索結果を提供するページにより広告データが表示されるようにしてもよい。この場合、検索サービスの広告主は「ノンヒョン駅」の周辺に存在する業者に関する情報も検索結果として取得してもよい。
【００２１】
ここで、本実施形態に係る価値決定システム１００は、無料登録システム１１０によって登録された広告データに関する転換価値を決定することにより、無料で登録した広告データの優先順位を、決定してもよい。本明細書において、無料で広告データを登録した広告主に、有料で広告データの登録を行わせる実施形態を主に説明する。しかし、有料で広告データを登録した広告主が、さらに良好な広告サービスのために追加金額を支払うことにより良好な品質のプレミアムサービスに転換することのできる実施形態にも適用してもよい。
【００２２】
本発明の一実施形態によると、転換価値は広告主の広告データに関するサービス状態の転換による価値を意味する。すなわち、転換価値は、広告主の広告データに対する現在のサービス状態を他のサービス状態に変更した時、広告主が取得することのできる価値、または広告登録システムが取得できる価値を意味する。
【００２３】
例えば、無料で登録した広告主が有料で登録したとき、広告登録システムの運用者が取得できる売り上げの大きさの順を示す指標を意味する。また、転換価値は、現在の無料で登録した広告主が有料に転換する場合、広告主が取得できる価値を意味する。例えば、無料で登録したときの一日あたりの期待クリックが１００であり、有料に転換したときの一日あたりの期待クリックが１０００である場合、一日あたりの期待クリックの差の９００が業者の広告主の立場における転換価値になる。そして、転換価値は、現在の有料で登録した広告主が追加金額を支払わなければならないプレミアムサービスに転換する場合、広告登録システムの運用者または広告主が取得できる価値を意味する。
【００２４】
このような優先順位として用いられる転換価値は、管理者１４０に提供され、広告営業の優先順位を決定するための情報として用いてもよい。または無料登録サービス広告主の端末１５０に有料広告登録を目的とする広告主を識別する基準として用いてもよい。そして、転換価値を用いて無料で登録した広告主に有料で広告登録する提案情報を送信してもよい。
【００２５】
ｈｔｔｐ：／／ｌｏｃａｌｓｈｏｐ．ｎａｖｅｒ．ｃｏｍ／ＬＳＰＣ０１０１．ｊｓｐから提供されるサービス事項も本発明の範囲に含まれてもよい。
【００２６】
図２は、本発明の一実施形態に係る価値決定システムの内部構成を説明するためのブロック図である。本実施形態に係る価値決定システム２００は、図１によって説明された価値決定システム１００に対応させることもできる。価値決定システム２００は、図２に示すようにデータ抽出部２０１、転換価値決定部２０２、整列部２０３、格納部２０４、転換価値確認部２０５、および提案情報送信部２０６を備える。
【００２７】
データ抽出部２０１は、広告主の広告データを登録して表示するための広告サービスを提供するためにデータベースから広告データを抽出することができる。
【００２８】
ここで、データベースは広告登録システムに含まれていてもよく、広告登録システムは、図１を参照して説明した無料登録システム１１０および有料登録システム１２０を備えていてもよい。
【００２９】
転換価値決定部２０２は、広告データのサービス状態の転換に対する転換価値を決定する。ここで、広告データは、地域名または業種名のうち少なくとも１つを含んでもよい。この場合、転換価値決定部２０２は、地域名または業種名のうち少なくとも１つによって決定された複数の加重値のうち少なくとも１つの加重値、また少なくとも１つの加重値を変数とする少なくとも１つの関数に基づいて転換価値を算出してもよい。
【００３０】
ここで、複数の加重値は、地域名による地域別営業加重値、業種名による業種別営業加重値、地域名と業種名それぞれによる現在の販売加重値、および地域名と業種名それぞれによる累積販売加重値のうち少なくとも１つを含んでもよい。ここで、地域別の営業加重値、業種別の営業加重値、現在の販売加重値、および累積販売加重値は、有料で地域別業者情報の登録および表示サービスを提供する広告登録システムによって決定された値を用いてもよい。
【００３１】
また、複数の加重値のうち少なくとも１つの加重値は、地域名または業種名を含む検索クエリ別の人気度を含んでもよく、検索クエリ別の人気度は検索クエリに応じて検索結果を提供する検索システムによって決定されてもよい。また、複数の加重値で前述した加重値と人気度の他にも広告データの転換価値を決定するために利用可能な様々な加重値を含んでいてもよい。例えば、業者のチェーン店の有無による加重値も複数の加重値として用いられてもよい。
【００３２】
ここで、転換価値決定部２０２は複数の加重値を確認し、加重値を変数に用いる関数を用いて転換価値を算出してもよい。下記の数式１は関数を用いて転換価値を算出する過程の一例を示す。
転換価値＝
ａ×Ｆ（地域別営業加重値，業種別営業加重値）＋ｂ＊Ｇ（地域名／業種名による現在の販売加重値，地域名／業種名による累積販売加重値）＋ｃ×Ｈ（検索クエリ別人気度）＋ｄ×Ｉ（その他）＋ｅ                （数式１）
【００３３】
ここで、Ｆ（ｘ，ｙ）、Ｇ（ｘ，ｙ）、Ｈ（ｘ，ｙ）、Ｉ（ｘ，ｙ）は加重値を変数として用いる関数であり、それぞれ当該のｘ、ｙに当該する加重値から転換価値を算定する関数を示す。また、ａ、ｂ、ｃ、ｄ、ｅは各関数に対して付与される加重値を示す。このような関数と関数に対して付与される加重値は必要に応じて選択および変更されてもよい。
【００３４】
整列部２０３は広告データを転換価値の大きさに応じて整列する。例えば、整列部２０３は、転換価値の大きさが大きい順に広告データを整列してもよい。すなわち、転換価値が大きい広告データであるほど登録や広告に対する推薦の優先の順位が高いものと判断してもよく、このような推薦の優先の順位に応じて整列した広告データを生成してもよい。
【００３５】
格納部２０４は、転換価値と広告データとを互いに関連づけて格納する。すなわち、格納部２０４は、整列部２０３によって整列された広告データを、対応する転換価値と互いに、関連づけて格納してもよい。このように、整列され、転換価値と関連づけて格納された広告データは広告データの価値が決定されたものであり、広告の推薦や営業の優先の順位に関する情報として活用することもできる。
【００３６】
データ確認部２０５は、格納部２０４の、広告データのサービス状態の転換による転換価値を確認する。一例として、データ確認部２０５は、予め設定した大きさ以上の転換価値を有する広告データを確認してもよい。ここで、予め決定された大きさは、広告データが広告の推薦や営業の活動に用いられるために必要な転換価値の最小値を意味し、データ確認部２０５は最小値以上の転換価値を有する広告データのみを確認してもよい。
【００３７】
提案情報送信部２０６は、転換価値を用い、サービス状態の転換のための提案情報を送信してもよい。ここで、提案情報送信部２０６は、確認された広告データまたは広告主情報からＥメールアドレスまたは電話番号を抽出してＥメールまたはＳＭＳによって提案情報を送信してもよい。
【００３８】
一例として、提案情報送信部２０６は、転換価値を用い、無料で登録した広告主のうち有料に転換する広告主を選別し、選別された広告主に提案情報を送信してもよい。また、提案情報送信部２０６は、転換価値を用い、既に有料で登録した広告主の中からさらに高い費用のプレミアムサービスに転換する広告主を選別し、選別された広告主に提案情報を送信してもよい。
【００３９】
一例として、提案情報は無料登録システムに送信され、広告主が無料登録ページにログインする場合に無料登録ページによって表示されてもよい。また、提案情報は、有料登録システムに送信され、広告主が有料登録ページにログインする場合、広告主がプレミアムサービスに転換できるように有料登録ページによって表示されてもよい。すなわち、単純に格納部２０４に格納された広告データを管理者などが用いるだけではなく、価値決定システム２００が直接的に提案情報を広告主に提供してもよい。
【００４０】
一方、提案情報送信部２０６が発送する提案情報の発送対象がデータを登録した広告主であるか、検索エンジンによって表示されるデータに対する関連するユーザ（例えば、あるホームページの運用者）に制限されることはない。有料登録データを提供する広告プラットフォームシステムのマーケティング部にも提案情報が送信されてもよい。すなわち、広告主の立場における転換価値または広告プラットフォームの立場における売り上げ転換価値が一定の条件を満足する場合、有料転換、または、データ提供属性による追加支出、に対する提案要求が広告プラットフォームシステムに関連するマーケティング部に送信されてもよい。所定の条件を満足する転換価値を有するデータと、そうではないデータとに区分して表示する方法などによって提案情報が送信されてもよい。
【００４１】
このように、本発明の一実施形態に係る価値決定システムは、サービス状態の転換による転換価値を用いて無料で登録した広告主に有料で登録するように提案してもよい。また、価値決定システムは、転換価値を用いて有料で登録した広告主であっても、さらに高い金額有料サービスのプレミアムサービスに転換するように提案してもよい。
【００４２】
転換価値によって広告主は、客観的な資料に基づいてサービスの状態を変更することにより、広告主の収益を向上させる。そして、広告登録システムを運用する運用者の立場においては、無料から有料へと、また、低い金額の有料サービスから高い金額の有料サービスへと、広告主に提案することによって、サービス転換により収益を向上させることができる。
【００４３】
一方、本発明の一実施形態によって価値決定（測定）の対象となるデータが、広告主ないしユーザによって直接登録された対象に限定されることはない。一般的な検索エンジンで用いられるクローラによって自動収集された対象も転換価値の測定対象になり得る。
【００４４】
一般的な検索結果の整列において、広告主により費用の支払われた広告情報が、費用の支払われていないクローラなどによって自動収集された情報よりも、優先的に提供されてもよい。このような場合、まだ検索リストでの費用を支払っていないサイトを運用するユーザに有料転換による表示属性（順位）の変更という提案情報を発送してもよい。
【００４５】
図３は、本発明の一実施形態に係る価値決定システムによって決定された転換価値に応じて広告データを整列する一例である。第１表３１０は「広告データ１」ないし「広告データ５」の５個の広告データに対する転換価値を示し、第２表３２０は「広告データ１」ないし「広告データ５」が転換価値の大きい順に整列したものである。すなわち、最初の無料登録システムによって登録された「広告データ１」ないし「広告データ５」は、広告データを営業に活用するため必要な優先順位を有していないものの、本発明の一実施形態に係る価値決定システムによって第１表３１０のように転換価値が決定され、第２表３２０のように転換価値の大きさに応じて整列することで、広告データのサービス状態の転換のための優先順位を有するようになる。
【００４６】
図４は、本発明の一実施形態に係る価値決定方法を示すフローチャートである。本実施形態に係る価値決定方法は、図２を参照して説明した価値決定システム２００によって行われてもよい。図４では価値決定システム２００によって各ステップが行われる過程に基づいて価値決定方法を説明する。図４は、無料サービスから有料サービスに状態変換がされる場合を示す。前述したように、本発明は、低い金額の有料サービスから高い金額の有料サービスに転換がされる場合についても適用可能である。低い金額の有料サービスから高い金額の有料サービスに転換がされる場合について図４では省略する。
【００４７】
ステップＳ４０１において、価値決定システム２００は広告データを登録し、表示をする広告サービスを提供するため、データベースから広告データを抽出する。ここで、データベースは無料登録システム１１０に含まれてもよい。すなわち、価値決定システム２００は、無料で登録された広告データを無料登録システムから抽出してもよい。
【００４８】
ステップＳ４０２において、価値決定システム２００は、広告データのサービス状態の転換による転換価値を決定する。ここで、広告データは、地域名または業種名のうち少なくとも１つを含んでもよい。この場合、価値決定システム２００は、地域名または業種名のうち少なくとも１つによって決定された複数の加重値のうち少なくとも１つの加重値、そして少なくとも１つの加重値を変数とする少なくとも１つの関数に基づいて転換価値を算出してもよい。
【００４９】
ここで、複数の加重値は、地域名による地域別営業加重値、業種名による業種別営業加重値、地域名と業種名それぞれによる現在の販売加重値、および地域名と業種名それぞれによる累積販売加重値のうち少なくとも１つを含んでもよい。ここで、地域別営業加重値、業種別営業加重値、現在の販売加重値、および累積販売加重値は、有料での地域別業者情報の登録および表示サービスを提供する広告登録システムによって決定された値を用いてもよい。
【００５０】
また、複数の加重値のうち少なくとも１つの加重値は、地域名または業種名を含む検索クエリ別の人気度を含んでもよく、検索クエリ別の人気度は検索クエリに応じて検索結果を提供する検索システムによって決定されてもよい。また、複数の加重値において、前述した加重値と人気度の他にも広告データの転換価値を決定するために利用可能な様々な加重値を含んでもよい。例えば、業者のチェーン店の有無による加重値も複数の加重値として用いてもよい。
【００５１】
ここで、価値決定システム２００は複数の加重値を確認し、加重値を変数として用いる関数を用いて転換価値を算出してもよい。
【００５２】
ステップＳ４０３において、価値決定システム２００は、広告データを転換価値の大きさに応じて整列する。例えば、価値決定システム２００は、転換価値の大きさが大きい順に広告データを整列してもよい。すなわち、転換価値が大きい広告データであるほど登録や広告に対する推薦の優先の順位が高いものと判断してもよく、このような推薦の優先の順位に応じて整列した広告データを生成してもよい。
【００５３】
ステップＳ４０４において、価値決定システム２００は、転換価値と広告データを互いに関連づけて格納する。すなわち、価値決定システム２００は、ステップＳ４０３で整列した広告データを、対応する転換価値と互いに関連づけて、価値決定システム２００が含む格納部に格納してもよい。このように、整列され転換価値と関連づけて格納された広告データは、広告データの価値が決定されたものであり、広告の推薦や営業の優先の順位に関する情報として活用することができる。
【００５４】
ステップＳ４０５において、価値決定システム２００は、格納部の、転換価値の大きさが予め決定された大きさ以上である広告データを確認する。ここで、予め決定された大きさは、広告データが広告推薦や営業活動に用いられるために必要な転換価値の最小値を意味してもよく、価値決定システム２００は最小値以上の転換価値を有する広告データのみを確認してもよい。また、予め決定された大きさは、価値決定システム２００で予め約束された統計的な方法またはロジックによって決定されてもよく、管理者によって任意に決定されてもよい。
【００５５】
ステップＳ４０６において、価値決定システム２００は、確認された広告データや確認された広告データを、登録した広告主の広告主情報を用いて有料で広告を登録するように提案情報を送信する。ここで、価値決定システム２００は、確認された広告データまたは広告主情報からＥメールアドレスまたは電話番号を抽出してＥメールまたはＳＭＳによって提案情報を送信してもよい。
【００５６】
また、提案情報は無料登録システムに送信され、広告主が無料登録ページにログインする場合に無料登録ページによって表示されてもよい。
【００５７】
このように、本発明の一実施形態に係る価値決定方法は、サービス状態の転換による転換価値を用いて無料で登録した広告主に有料で登録するように提案することができる。また、価値決定システムは、転換価値を用いて有料で登録した広告主であっても、さらに高い金額有料サービスのプレミアムサービスに転換するように提案してもよい。
【００５８】
転換価値によって広告主は客観的な資料に基づいてサービスの状態を変更することで広告主の収益が向上される。そして、広告登録システムを運用する運用者立場においては、無料から有料に、低い金額の有料サービスからさらに高い金額の有料サービスに、広告主に提案することで、サービス転換による収益を向上させることができる。
【００５９】
図５は、本発明の一実施形態に係る無料で登録した広告主、有料で登録した広告主、およびプレミアムサービスで登録した広告主の広告データが検索結果として表示される一例を示す図である。
【００６０】
図５を参照すると、ユーザが検索ウィンドウ５０２に検索クエリを「ＸＹＺレストラン」と入力した時の検索結果ページ５０１が図示されている。ここで、ＸＹＺは地名であると仮定する。検索結果ページ５０１は、地名のＸＹＺに関連するレストランに対する広告主の広告データを表示してもよい。上記で説明したように、広告データは地域名または業種名を含んでもよい。また、広告主の広告データは無料あるいは有料で登録されるか、追加金額が要求されるプレミアムサービスで登録されてもよい。そして、検索結果ページ５０１は、広告主の広告データに対する位置が地図５０４の上に表示されてもよい。
【００６１】
図５を参考すると、プレミアムサービスに登録した広告主の広告データＡ、Ｂ、Ｃは、検索結果ページ５０１の上段に位置するインベントリ５０３によって表示することができる。そして、有料サービスに登録した広告主の広告データＤ、Ｅは、検索結果ページ５０１の地図５０４に隣接して位置するインベントリ５０５、インベントリ５０６にそれぞれ表示することができる。無料サービスに登録した広告主の広告データＦ、Ｇは、検索結果ページ５０１でインベントリ５０５、インベントリ５０６よりも下に位置するインベントリ５０７、インベントリ５０８としてそれぞれ表示することができる。
【００６２】
すなわち、さらに高い金額が要求されるプレミアムサービスは、一般的な有料サービスおよび無料サービスよりも上位に表示することで、ユーザの誘引効果を向上させる。また、プレミアムサービスの場合、有料サービスおよび無料サービスに比べて広告データの表現属性（字体、字の大きさ、字色、文字の陰影など）がユーザを誘引するための形態に変更できるため、広告データへの流入が向上できる。
【００６３】
例えば、プレミアムサービスに登録した広告主の広告データの場合、字体がユーザの視野から目立つ字体であるか、字の大きさが有料サービスおよび無料サービスよりも大きくなったり、字色がカラーであるか、字がボールド体に強調されたりする形態に提供することができる。
【００６４】
また、プレミアムサービスの場合、広告データに含まれた情報（ＵＲＬ、電話番号、詳細説明、レビュー結果）の表現属性も変更してもよい。もちろん、有料サービスと無料サービスとの間にも広告データの表示位置、広告データの表現属性の面で差が存在する。そして、無料サービスによってユーザに提供される情報はＵＲＬ、電話番号のみを含む一方、有料サービスおよびプレミアムサービスによってユーザに提供される情報はＵＲＬ、ＴＥＬ、詳細説明、レビューを含んでもよい。
【００６５】
このように、各サービスごとに発生するユーザ誘引効果の差に応じて、広告主は、自身の広告データの現在のサービス状態を良好な品質のサービス状態に転換することを所望する。そのために本発明の一実施形態によると、価値決定システムは、広告主に広告データのサービス状態の転換による転換価値を提供することによって、広告主にサービス状態の転換を誘引することができる。広告主は自身の広告データの転換価値を確認し、自身の広告データのサービス状態を無料サービスから有料サービスに転換するか、または有料サービスから追加金額を要求するプレミアムサービスに転換するかを判断してもよい。
【００６６】
このような過程によって、広告主は、サービス状態の転換された広告データによってユーザ誘引の効果を向上し、広告による収益を向上させることができる。また、広告登録システムの立場においては、広告主がサービス状態の転換による追加料金を負担することで、サービス状態の転換による費用を取得することができる。
【００６７】
図６は、本発明の一実施形態に係る広告主の広告データが検索結果に表示される別の一例を示す図である。
【００６８】
図６を参照すると、ユーザが検索ウィンドウ６０１に「ＸＹＺ食堂」のような検索クエリを入力した時の検索結果ページ６００を示す。
【００６９】
これによって、ＸＹＺの近所に位置する食堂の検索結果が検索結果ページ６００に図示される。そして、食堂は、業種別６０２、地域別６０３の詳細な検索が可能である。また、検索結果として導き出された食堂は、地図６０４上に位置表示されてもよい。距離調整ウィンドウ６００は、現在のユーザの検索位置からの半径を調整できるようにし、ユーザが自身の現在の位置に基づいて検索結果を調整できるようにする。
【００７０】
図６に示すように、ＸＹＺ付近に位置する食堂が広告データＡ、Ｂ、Ｃ、Ｄに検索されたと仮定する時、有料サービスとして登録した広告主の広告データＡおよびＢはインベントリ６０５の上位に位置させ、無料サービスとして登録した広告主の広告データＣおよびＤはインベントリ６０５の下位に位置させることができる。もちろん、有料サービスとして登録された広告データＡ、Ｂは、無料サービスとして登録した広告データＣ、Ｄよりも広告データに含まれた情報（イメージ、クーポン、詳細説明、レビュー）などをさらに含んでもよい。もし、広告データＣおよびＤの広告主が有料サービスとして登録してサービス状態を転換する場合、広告データＣおよびＤも広告データＡ、Ｂのような有料サービスを提供してもよい。
【００７１】
このために、本発明の一実施形態に係る価値決定システムは、広告データＣおよびＤの広告主にサービス状態の転換による転換価値をサービス状態の転換のための提案情報に送信することによって、広告主が自身の広告データのサービス状態を転換できるようにする。
【００７２】
つまり、転換価値によって広告主は客観的な資料に基づいてサービスの状態を変更することで広告主の収益が向上する。そして、広告登録システムを運用する運用者は、有料、低い金額の有料サービスでより高い金額の有料サービスに広告主へ提案することで、サービス転換による収益を取得することができる。
【００７３】
本発明に係る実施形態は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などのうちの１つまたはその組み合わせを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【００７４】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００７５】
したがって、本発明の範囲は、開示された実施形態に限定されるものではなく、特許請求の範囲だけではなく特許請求の範囲と均等なものなどによって定められるものである。
【図１】
0005558494.tif 000002
【図２】
0005558494.tif 000003
【図３】
0005558494.tif 000004
【図４】
0005558494.tif 000005
【図５】
0005558494.tif 000006
【図６】
0005558494.tif 000007